【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
ａ）熱可塑性ポリマー基材と、
ｂ）有効難燃量の、
オキシ塩化ビスマス、オキシフッ化ビスマス、オキシ臭化ビスマス、オキシヨウ化ビスマスおよびオキシ硝酸ビスマスからなる群から選択される１種または複数のビスマス化合物、ならびに
１種または複数の有機臭素難燃剤
の組合せと
を含む、難燃性組成物。
【請求項２】
熱可塑性ポリマー基材が、ポリオレフィンホモポリマー、ポリオレフィンコポリマー、熱可塑性オレフィン、ポリスチレン、ポリスチレンコポリマー、ポリカーボネート、ポリアミドおよびポリエステルからなる群から選択される、請求項１に記載の組成物。
【請求項３】
熱可塑性ポリマー基材が、ポリプロピレン、ポリエチレン、エチレン／プロピレンコポリマーまたは熱可塑性オレフィンである、請求項１に記載の組成物。
【請求項４】
ビスマス化合物が、熱可塑性ポリマー基材の重量に基づき、約０．５から約１０重量％で存在する、請求項１、２または３に記載の組成物。
【請求項５】
ビスマス化合物が、熱可塑性ポリマー基材の重量に基づき、約１から約７重量％で存在する、請求項１、２または３に記載の組成物。
【請求項６】
有機臭素難燃剤が、熱可塑性ポリマー基材の重量に基づき、約１から約４０重量％で存在する、請求項１から５のいずれかに記載の組成物。
【請求項７】
有機臭素難燃剤が、熱可塑性ポリマー基材の重量に基づき、約３から約２５重量％で存在する、請求項１から５のいずれかに記載の組成物。
【請求項８】
有機臭素難燃剤が、
テトラブロモビスフェノールＡ（ＴＢＢＰＡ）、テトラブロモフタレートエステル、ビス（２，３−ジブロモプロピルオキシ）テトラブロモビスフェノールＡ、ＴＢＢＰＡに基づく臭素化カーボネートオリゴマー、ＴＢＢＰＡおよびエピクロロヒドリンの縮合に基づく臭素化エポキシオリゴマー、ＴＢＢＰＡおよび１，２−ジブロモエタンのコポリマー；ジブロモ安息香酸、ジブロモスチレン（ＤＢＳ）およびその誘導体；エチレンブロモビステトラブロモフタルイミド、ジブロモネオペンチルグリコール、ジブロモシクロオクタン、トリスブロモネオペンタノール、トリス（トリブロモフェニル）トリアジン、２，３−ジブロモプロパノール、トリブロモアニリン、トリブロモフェノール、テトラブロモシクロペンタン、テトラブロモビフェニルエーテル、テトラブロモジペンタエリスリトール、デカブロモジフェニルエーテル、テトラブロモフタル酸無水物、ペンタブロモトルエン、ペンタブロモジフェニルエーテル、ペンタブロモジフェニルオキシド、ペンタブロモフェノール、ペンタブロモフェニルベンゾエート、ペンタブロモエチルベンゼン、ヘキサブロモシクロヘキサン、ヘキサブロモシクロオクタン、ヘキサブロモシクロデカン、ヘキサブロモシクロドデカン、ヘキサブロモベンゼン、ヘキサブロモビフェニル、オクタブロモビフェニル、オクタブロモジフェニルオキシド、ポリ（ペンタブロモベンジルアクリレート）、オクタブロモジフェニルエーテル、デカブロモジフェニルエタン、デカブロモジフェニル、臭素化トリメチルフェニルインダン、テトラブロモクロロトルエン、ビス（テトラブロモフタルイミド）エタン、ビス（トリブロモフェノキシ）エタン、臭素化ポリスチレン、臭素化エポキシオリゴマー、ポリペンタブロモベンジルアクリレート、ジブロモプロピルアクリレート、ジブロモヘキサクロロシクロペンタジエノシクロオクタン、Ｎ’−エチル（ビス）ジブロモノンボランジカルボキシイミド、テトラブロムビスフェノールＳ、Ｎ’Ｎ’−エチルビス（ジブロモノンボルネン）ジカルボキシイミド、ヘキサクロロシクロペンタジエノ−ビス−（２，３−ジブロモ−１−プロピル）フタレート、ビス（２，３−ジブロモプロピル）ホスフェートおよびトリス（トリブロモネオペンチル）ホスフェートのような臭素化ホスフェート、ならびにトリス（ジクロロブロモプロピル）ホスファイト、Ｎ，Ｎ’−エチレン−ビス−（テトラブロモフタルイミド）、テトラブロモフタル酸ジオール［２−ヒドロキシプロピル−オキシ−２−２−ヒドロキシエチル−エチルテトラブロモフタレート］、臭化ビニル、ポリペンタブロモベンジルアクリレート、ポリ臭化ジベンゾ−ｐ−ジオキシン、トリス−（２，３−ジブロモプロピル）−イソシアヌレート、エチレン−ビス−テトラブロモフタルイミドおよびトリス（２，３−ジブロモプロピル）ホスフェート
からなる群から選択される、請求項１から７のいずれかに記載の組成物。
【請求項９】
有機臭素難燃剤が、
デカブロモジフェニルエーテル、
トリス［３−ブロモ−２，２−ビス（ブロモメチル）プロピル］ホスフェート、
ビスフェノールＡのビス（２，３−ジブロモプロピルエーテル）、
テトラブロモビスフェノールＡビス（ジブロモプロピルエーテル）、
臭素化エポキシ樹脂、
エチレン−ビス（テトラブロモフタルイミド）、
１，２−ビス（トリブロモフェノキシ）エタン、
テトラブロモ−ビスフェノールＡ、
ヘキサブロモシクロドデカン、
臭素化ポリスチレン、
デカブロモジフェニルエタン、
エチレンビス−（ジブロモ−ノルボルナンジカルボキシイミド）、および
トリス−（２，３−ジブロモプロピル）−イソシアヌレート
からなる群から選択される、請求項１から７のいずれかに記載の組成物。
【請求項１０】
１種または複数の立体障害性ヒドロカルビルオキシアミン安定剤をさらに含む、請求項１から９のいずれかに記載の組成物。
【請求項１１】
１−シクロヘキシルオキシ−２，２，６，６−テトラメチル−４−オクタデシルアミノピペリジン；
２，４−ビス［（１−シクロヘキシルオキシ−２，２，６，６−テトラメチルピペリジン−４−イル）ブチルアミノ］−６−（２−ヒドロキシエチル−アミノ−ｓ−トリアジン；
ビス（１−シクロヘキシルオキシ−２，２，６，６−テトラメチルピペリジン−４−イル）アジペート；
２，４−ビス［（１−シクロヘキシルオキシ−２，２，６，６−ピペリジン−４−イル）ブチルアミノ］−６−クロロ−ｓ−トリアジン；
１−（２−ヒドロキシ−２−メチルプロポキシ）−４−ヒドロキシ−２，２，６，６−テトラメチルピペリジン；
１−（２−ヒドロキシ−２−メチルプロポキシ）−４−オキソ−２，２，６，６−テトラメチルピペリジン；
１−（２−ヒドロキシ−２−メチルプロポキシ）−４−オクタデカノイルオキシ−２，２，６，６−テトラメチルピペリジン；
ビス（１−（２−ヒドロキシ−２−メチルプロポキシ）−２，２，６，６−テトラメチルピペリジン−４−イル）セバケート；
ビス（１−（２−ヒドロキシ−２−メチルプロポキシ）−２，２，６，６−テトラメチルピペリジン−４−イル）アジペート；
２，４−ビス｛Ｎ−［１−（２−ヒドロキシ−２−メチルプロポキシ）−２，２，６，６−テトラメチルピペリジン−４−イル］−Ｎ−ブチル−アミノ｝−６−（２−ヒドロキシエチルアミノ）−ｓ−トリアジン；
２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、および
【化１】
2016501963.tif 000001
［式中、ｎは、１から１５である］
からなる群から選択される１種または複数の立体障害性ヒドロカルビルオキシアミン安定剤をさらに含む、請求項１から９のいずれかに記載の組成物。
【請求項１２】
リン含有難燃剤およびメラミンベースの難燃剤からなる群から選択される１種または複数の追加の難燃剤をさらに含む、請求項１から１１のいずれかに記載の組成物。
【請求項１３】
クロロアルキルリン酸エステル、
ビス（ヘキサクロロシクロペンタジエノ）シクロオクタン、
塩素化パラフィン、
テトラフェニルレゾルシノールジホスファイト、
リン酸トリフェニル、
ポリリン酸アンモニウム、
二リン酸レゾルシノールオリゴマー、
シアヌル酸メラミン、
ホウ酸メラミン、
ポリリン酸メラミン、
リン酸メラミン、
ピロリン酸メラミン、および
エチレンジアミンジホスフェート
からなる群から選択される１種または複数の追加の難燃剤をさらに含む、請求項１から１１のいずれかに記載の組成物。
【請求項１４】
顔料、染料、可塑剤、フェノール系酸化防止剤、チキソトロープ剤、レベリング補助剤、塩基性補助安定剤、ニトロン安定剤、アミンオキシド安定剤、ベンゾフラノン安定剤、ＵＶ吸収剤、立体障害性アミン光安定剤、金属不動態化剤、金属酸化物、有機リン化合物、滑剤およびヒドロキシルアミンからなる群から選択される１種または複数の添加剤をさらに含む、請求項１から１３のいずれかに記載の組成物。
【請求項１５】
フェノール系酸化防止剤、ステアリン酸カルシウム、ステアリン酸亜鉛、ホスファイトもしくはホスホナイト安定剤、ベンゾフラノン安定剤、２−（２’−ヒドロキシフェニル）ベンゾトリアゾール、２−（２−ヒドロキシフェニル）−１，３，５−トリアジンまたはベンゾエートＵＶ吸収剤および立体障害性アミン光安定剤からなる群から選択される１種または複数の添加剤をさらに含む、請求項１から１３のいずれかに記載の組成物。
【請求項１６】
オキシ塩化ビスマス、オキシフッ化ビスマス、オキシ臭化ビスマス、オキシヨウ化ビスマスおよびオキシ硝酸ビスマスからなる群から選択される１種または複数のビスマス化合物と、１種または複数の有機臭素難燃剤とを含む、難燃剤添加組成物。
【請求項１７】
有機臭素難燃剤が、
テトラブロモビスフェノールＡ（ＴＢＢＰＡ）、テトラブロモフタレートエステル、ビス（２，３−ジブロモプロピルオキシ）テトラブロモビスフェノールＡ、ＴＢＢＰＡに基づく臭素化カーボネートオリゴマー、ＴＢＢＰＡおよびエピクロロヒドリンの縮合に基づく臭素化エポキシオリゴマー、ＴＢＢＰＡと１，２−ジブロモエタンとのコポリマー；ジブロモ安息香酸、ジブロモスチレン（ＤＢＳ）およびその誘導体；エチレンブロモビステトラブロモフタルイミド、ジブロモネオペンチルグリコール、ジブロモシクロオクタン、トリスブロモネオペンタノール、トリス（トリブロモフェニル）トリアジン、２，３−ジブロモプロパノール、トリブロモアニリン、トリブロモフェノール、テトラブロモシクロペンタン、テトラブロモビフェニルエーテル、テトラブロモジペンタエリスリトール、デカブロモジフェニルエーテル、テトラブロモフタル酸無水物、ペンタブロモトルエン、ペンタブロモジフェニルエーテル、ペンタブロモジフェニルオキシド、ペンタブロモフェノール、ペンタブロモフェニルベンゾエート、ペンタブロモエチルベンゼン、ヘキサブロモシクロヘキサン、ヘキサブロモシクロオクタン、ヘキサブロモシクロデカン、ヘキサブロモシクロドデカン、ヘキサブロモベンゼン、ヘキサブロモビフェニル、オクタブロモビフェニル、オクタブロモジフェニルオキシド、ポリ（ペンタブロモベンジルアクリレート）、オクタブロモジフェニルエーテル、デカブロモジフェニルエタン、デカブロモジフェニル、臭素化トリメチルフェニルインダン、テトラブロモクロロトルエン、ビス（テトラブロモフタルイミド）エタン、ビス（トリブロモフェノキシ）エタン、臭素化ポリスチレン、臭素化エポキシオリゴマー、ポリペンタブロモベンジルアクリレート、ジブロモプロピルアクリレート、ジブロモヘキサクロロシクロペンタジエノシクロオクタン、Ｎ’−エチル（ビス）ジブロモノンボランジカルボキシイミド、テトラブロムビスフェノールＳ、Ｎ’Ｎ’−エチルビス（ジブロモノンボルネン）ジカルボキシイミド、ヘキサクロロシクロペンタジエノ−ビス−（２，３−ジブロモ−１−プロピル）フタレート、ビス（２，３−ジブロモプロピル）ホスフェートおよびトリス（トリブロモネオペンチル）ホスフェートのような臭素化ホスフェート、ならびに
トリス（ジクロロブロモプロピル）ホスファイト、Ｎ，Ｎ’−エチレン−ビス−（テトラブロモフタルイミド）、テトラブロモフタル酸ジオール［２−ヒドロキシプロピル−オキシ−２−２−ヒドロキシエチル−エチルテトラブロモフタレート］、臭化ビニル、ポリペンタブロモベンジルアクリレート、ポリ臭化ジベンゾ−ｐ−ジオキシン、トリス−（２，３−ジブロモプロピル）−イソシアヌレート、エチレン−ビス−テトラブロモフタルイミドおよびトリス（２，３−ジブロモプロピル）ホスフェート
からなる群から選択される、請求項１６に記載の添加組成物。
【請求項１８】
有機臭素難燃剤が、
デカブロモジフェニルエーテル、
トリス［３−ブロモ−２，２−ビス（ブロモメチル）プロピル］ホスフェート、
ビスフェノールＡのビス（２，３−ジブロモプロピルエーテル）、
テトラブロモビスフェノールＡビス（ジブロモプロピルエーテル）、
臭素化エポキシ樹脂、
エチレン−ビス（テトラブロモフタルイミド）、
１，２−ビス（トリブロモフェノキシ）エタン、
テトラブロモ−ビスフェノールＡ、
ヘキサブロモシクロドデカン、
臭素化ポリスチレン、
デカブロモジフェニルエタン、
エチレンビス−（ジブロモ−ノルボルナンジカルボキシイミド）、および
トリス−（２，３−ジブロモプロピル）−イソシアヌレート
からなる群から選択される、請求項１６に記載の添加組成物。
【請求項１９】
顔料、染料、可塑剤、フェノール系酸化防止剤、チキソトロープ剤、レベリング補助剤、塩基性補助安定剤、ニトロン安定剤、アミンオキシド安定剤、ベンゾフラノン安定剤、ＵＶ吸収剤、立体障害性アミン光安定剤、金属不動態化剤、金属酸化物、有機リン化合物、滑剤およびヒドロキシルアミンからなる群から選択される１種または複数の添加剤をさらに含む、請求項１６、１７または１８に記載の添加組成物。
【請求項２０】
ペレット、パステル、フレークおよび顆粒からなる群から選択されるワンパックシステムの形態である、請求項１６から１９のいずれかに記載の添加組成物。
【請求項２１】
難燃性ポリマー組成物を提供するための方法であって、熱可塑性ポリマー基材に、有効難燃量の、
オキシ塩化ビスマス、オキシフッ化ビスマス、オキシ臭化ビスマス、オキシヨウ化ビスマスおよびオキシ硝酸ビスマスからなる群から選択される１種または複数のビスマス化合物、ならびに
１種または複数の有機臭素難燃剤
の組合せを組み込むことを含む、方法。
【請求項２２】
熱可塑性ポリマー基材に、１種または複数のビスマス化合物および１種または複数の有機臭素難燃剤を含む供給可能なワンパックシステムを組み込むことを含む、請求項２１に記載の方法。
【請求項２３】
供給可能なワンパックシステムが、ペレット、パステル、フレークおよび顆粒からなる群から選択される、請求項２２に記載の方法。
【請求項２４】
酸化亜鉛、ホウ酸亜鉛、酸化アンチモン、水酸化アルミニウム、水酸化マグネシウム、アルミニウムトリヒドロキシド、アルミナ白、アルミナ三水和物、酸化マグネシウム、塩化マグネシウム、タルカム、アルミナマグネシウム、ケイ酸カルシウム、ケイ酸ナトリウム、ゼオライト、炭酸ナトリウム、炭酸カルシウム、モリブデン酸アンモニウム、酸化鉄、酸化銅、リン酸亜鉛、塩化亜鉛、粘土、リン酸二水素ナトリウム、スズ、バナジウム化合物、モリブデンおよび亜鉛からなる群から選択される１種または複数の化合物をさらに含む、請求項１から１５のいずれかに記載の組成物。
【請求項２５】
酸化亜鉛をさらに含む、請求項１から１５のいずれかに記載の組成物。
【請求項２６】
熱可塑性ポリマー基材と、有効難燃量の、オキシ塩化ビスマス、オキシフッ化ビスマス、オキシ臭化ビスマス、オキシヨウ化ビスマスおよびオキシ硝酸ビスマスからなる群から選択される１種または複数のビスマス化合物とを含む、難燃性組成物。
【請求項２７】
ビスマス化合物が、熱可塑性ポリマーの重量に基づき、約０．５から約２０重量％の重量レベルで存在する、請求項２６に記載の組成物。
【請求項２８】
難燃性ポリマー組成物を提供するための方法であって、熱可塑性ポリマー基材に、有効難燃量の、オキシ塩化ビスマス、オキシフッ化ビスマス、オキシ臭化ビスマス、オキシヨウ化ビスマスおよびオキシ硝酸ビスマスからなる群から選択されるビスマス化合物を組み込むことを含む、方法。
【請求項２９】
熱可塑性ポリマー基材に難燃性を提供するための、オキシ塩化ビスマス、オキシフッ化ビスマス、オキシ臭化ビスマス、オキシヨウ化ビスマスおよびオキシ硝酸ビスマスからなる群から選択される１種または複数のビスマス化合物と１種または複数の有機臭素難燃剤との組合せの使用。
【請求項３０】
熱可塑性ポリマー基材に難燃性を提供するための、オキシ塩化ビスマス、オキシフッ化ビスマス、オキシ臭化ビスマス、オキシヨウ化ビスマスおよびオキシ硝酸ビスマスからなる群から選択される１種または複数のビスマス化合物の使用。